(57)【要約】【課題】  従来技術は、補給装置に設けられた補給ユニットから補給された鋼球が発射レールに到達するまでの間で衝突する部分に衝突時の衝撃力を緩和する弾性部材を設けたもので、鋼球の金属球とベース板等の金属板の衝突のために生じる衝撃や摩耗が大きく、また摩耗により鋼球、発射レール等を汚し、ひいては鋼球流れに悪影響を及ぼす。さらに、衝撃の跳ね返りが大きく、鋼球が発射位置に静止するまでの時間が長く、不安定な内に発射されることもあり、鋼球飛びが不安定であった。加えて、長期使用で衝突面に凹みができ、交換が必要であるという問題があった。【解決手段】  発射位置に一つずつ鋼球３を補給し、補給された鋼球を発射する遊技機において、補給装置２に設けられた補給ユニット１２から補給された鋼球３が発射レール５に到達するまでの間で衝突する部分に衝突時の衝撃力を緩和する弾性部材７を設けた発射装置。【選択図】図１
2007260032.tif 000002
【特許請求の範囲】
【請求項１】
発射位置に一つずつ鋼球を補給し、補給された鋼球を発射する遊技機において、補給装置に設けられた補給ユニットから補給された鋼球が発射レールに到達するまでの間で衝突する部分に衝突時の衝撃力を緩和する弾性部材を設けたことを特徴とする発射装置。
【請求項２】
弾性部材の交換を容易にするため着脱自在の構成にしたことを特徴とする請求項１記載の発射装置。
【請求項３】
弾性部材の鋼球当り面である表面に凹凸を形成して衝撃吸収力を高めたことを特徴とする請求項１、または請求項２に記載の発射装置。
【請求項４】
弾性部材の材料として、摩耗の少ない材料を選択することを特徴とする請求項１〜請求項３のうち、いずれか１項に記載の発射装置。
【発明の詳細な説明】
【技術分野】
【０００１】
本発明は、球遊技機器の遊技球補給装置を有する発射装置に関するものである。
【背景技術】
【０００２】
従来のパチンコ機等における発射装置においては、打球可能なパチンコ球が規定個数で遊戯可能に構成されたパチンコ機において、打球槌の動作に係動されパチンコ球を１個毎に打球発射位置に送り出す球切り手段と、打球発射位置に送り出されるパチンコ球を検知する打球検出手段と、該打球検出手段により検出されたパチンコ球が規定個数となったとき、作用される電磁ソレノイドを静止状態で保持する作動部保持手段とを設け、パチンコ球の打球発射位置への送り出し動作を前記電磁ソレノイドの作動部保持手段により拘束するようにしたパチンコ機のパチンコ球の送出装置（例えば、特許文献１参照）が存在している。
【特許文献１】特開平１１−２０６９６７号公報（特許請求の範囲、発明の詳細な説明の欄の｛発明の実施形態｝の段落｛００１１｝〜｛００１６｝、及び図４〜図８を参照）
【発明の開示】
【発明が解決しようとする課題】
【０００３】
本発明に係る発射装置は、発射位置に一つずつ鋼球を補給し、補給された鋼球を発射する遊技機において、補給装置に設けられた補給ユニットから補給された鋼球が発射レールに到達するまでの間で衝突する部分に衝突時の衝撃力を緩和する弾性部材を設けたもので、鋼球とベース板等の金属板との衝突により生じる衝撃や摩耗は大きく、また摩耗により鋼球、発射レール等を汚し、ひいては鋼球の流れに悪影響を及ぼす。さらに、衝撃の跳ね返りが大きく、鋼球が発射位置に静止するまでの時間が長く、不安定な間に発射されることもあり、鋼球の飛びが不安定になる。加えて、長期使用で衝突面に凹みができ、交換が必要であるという問題があった。これらの問題を解決することが本願発明の目的である。
【課題を解決するための手段】
【０００４】
上記課題を解決するための本発明の第１発明は、請求項１に記載された通りの発射装置であり、次のようなものである。
発射位置に一つずつ鋼球を補給し、補給された鋼球を発射する遊技機において、補給装置に設けられた補給ユニットから補給された鋼球が発射レールに到達するまでの間で衝突する部分に衝突時の衝撃力を緩和する弾性部材を設ける構成である。
【０００５】
上記課題を解決するための本発明の第２発明は、請求項２に記載された通りの発射装置であり、次のようなものである。
請求項１に記載の発明に加えて、弾性部材の交換を容易にするため着脱自在の構成にしたものである。
【０００６】
上記課題を解決するための本発明の第３発明は、請求項３に記載された通りの発射装置であり、次のようなものである。
請求項１、または請求項２に記載の発明に加えて、弾性部材の鋼球当り面である表面に凹凸を形成して衝撃吸収力を高める構成である。
【０００７】
上記課題を解決するための本発明の第４発明は、請求項４に記載された通りの発射装置であり、次のようなものである。
請求項１〜請求項３に記載の発明のうち、いずれか１項に記載の発明に加えて、弾性部材の材料として、摩耗の少ない材料を選択する構成である。
【発明の効果】
【０００８】
本発明に係る発射装置は、上記説明のような構成であるので、以下に記載する効果を奏する。
（１）鋼球が発射位置に落下する時、跳ね返りが小さく、打球するスタート時迄には静止状態にする必要がある。この静止状態を確保する上で速やかに安定して静止できるので、鋼球の飛びが安定する。
（２）鋼球と、ベース板等の衝突による摩耗する部位に弾性部材を交換自在にすることで、弾性部材のみの交換で再生が可能になる。
（３）再利用等で使用する時、衝突による凹み等が生じないため、弾性部材を取り替えるだけで新品と同等の発射機能を持った発射装置としてリユース、リサイクルができるようになる。
【発明を実施するための最良の形態】
【０００９】
発射位置に一つずつ鋼球を補給し、補給された鋼球を発射する遊技機において、補給装置から補給された鋼球が衝突する部分に衝突時の衝撃力を緩和する摩耗の少ない弾性部材の表面に凹凸を形成して、この弾性部材を交換自在に設けた発射装置である。
【実施例１】
【００１０】
本発明について、先ず鋼球の発射装置と遊技球補給装置の全体関連構成について簡単に説明する。
図１は、本発明に係る第一実施例を示すもので、鋼球の発射装置１と遊技球補給装置２の関連構成を説明するための正面図、図２は、鋼球の発射装置１に設けられた発射レール５の発射位置に、鋼球３が補給された状態における各部材の配置状態を示す正面図である。
図１、図２からも理解できるように、鋼球の発射装置１の打球操作に基づいて作動されるソレノイドで作動される遊技球補給装置２が設けられている。そして、ベース板４に発射レール５と発射槌６と遊技球補給装置２が関連して構成されている。
図１に示すように、遊技球補給装置２の補給ユニット１２に入ってくる鋼球３の流れは、補給ユニット１２に入った鋼球３の位置ａから補給位置から出る鋼球３は位置ｂへ、そしてこの出された鋼球３は、ベース板４に取り付けられた弾性部材７に衝突して、弾性力で跳ね返りを小さくされ、発射レール５の発射槌６によって打球される位置ｃに鋼球３は流れてくるようになっている。
【００１１】
図２に示すように、発射レール５の発射位置に補給されて待機している鋼球３を発射槌６でまさに打球する時の状態を示すもので、鋼球３が発射位置の遊技球ストッパー８により正常な位置に鋼球３が位置していて、そのすぐ手前に鋼球３の落下による跳ね返りを小さくするための弾性部材７をベース板４に取り付けられている。
【００１２】
ここで、図３、図４に基づいて遊技球補給装置２の補給ユニット１２内の鋼球３の流れと、補給ユニット１２を出た鋼球３がベース板４に取り付けた弾性部材７に衝突する様子を説明する。
先ず、図３に示すように補給ユニット１２内の鋼球３の流れは、矢印に示す通り、補給ユニット１２内に入る鋼球３（図示では上から順に流れて、発射レール５上に落下する）が補給ユニット１２内を順次流下し、発射レール５の発射位置に位置する。この際、補給ユニット１２を出る鋼球３は、ベース板４に取り付けた弾性部材７に衝突し、跳ね返りを小さくするように弾性力で吸収して、静かに安定した状態で速やかに発射レール５の発射位置に流れてくるものである。
なお、ソレノイドで駆動される遊技球補給装置による実施例で説明してあるが、遊技球補給装置はこれに限定されるものではなく、補給装置の形状、駆動方法は規定しないものである。
【実施例２】
【００１３】
次に、図５に基づいて弾性部材７の交換が容易に行えるようにした第二実施例としての具体例を説明する。
遊技球補給装置２の補給ユニット１２から排出された鋼球３がベース板４に取り付けられた弾性部材７に衝突する様子を示している。この弾性部材７の交換を容易にするために、ベース板４に段状の穴を穿設し、鋼球３の衝突する部分を大径部９にして反対側を小径部１０にして、止めつけられるようにつば部１１を設けた弾性部材７を取り付けることで、交換を容易にしたものである。
【実施例３】
【００１４】
次に、図６に基づいて第三実施例を説明すると、ベース板４に取り付ける弾性部材７の形状を鋼球３が衝突する表面に凹凸を施したものを採用する実施例で、この凹凸数、大きさ、形状は種々設計できるものである。
なお、実施例３ではベース板に弾性部材を取り付けた例で説明してあるが、補給ユニットから発射レールに到達する間に衝突する部分であれば、ベース板に限定されるものではない。
【産業上の利用可能性】
【００１５】
本発明の発射装置は、各種方式のパチンコ機における遊技球補給装置に利用することができるものである。
【図面の簡単な説明】
【００１６】
【図１】本発明の第一実施例に係る鋼球の発射装置と遊技球補給装置の関連構成を示す概略正面図である。
【図２】本発明の第一実施例に係る遊技球補給装置における補給ユニットの鋼球が発射位置にある状態を示す概略正面図である。
【図３】本発明の第一実施例に係る遊技球補給装置の補給ユニット内の鋼球の流れを示す側面図である。
【図４】本発明の第一実施例に係る遊技球補給装置の補給ユニットを出た鋼球がベース板に取り付けられた弾性部材に衝突する様子を示す側面図である。
【図５】本発明に係る第二実施例である交換自在な弾性部材を有する遊技球補給装置の補給ユニットを拡大して示す正面図である。
【図６】本発明に係る第三実施例である鋼球衝突面に凹凸を施した弾性部材を有する遊技球補給装置の補給ユニットを拡大して示す正面図である。
【符号の説明】
【００１７】
１・・・・発射装置                      ２・・・・遊技球補給装置
３・・・・鋼球                          ４・・・・ベース板
５・・・・発射レール                    ６・・・・発射槌
７・・・・弾性部材                      ８・・・・遊技球ストッパー
９・・・・大径部                      １０・・・・小径部
１１・・・・つば部                      １２・・・・補給ユニット
【図１】
2007260032.tif 000003
【図２】
2007260032.tif 000004
【図３】
2007260032.tif 000005
【図４】
2007260032.tif 000006
【図５】
2007260032.tif 000007
【図６】
2007260032.tif 000008